Podtech/llm-jp-corpus-v4-ja_patent huggingface dataset:
(57)【要約】      （修正有）【課題】掛け布団が人の全体に覆い被さらないよう布団と敷き布団の間に形を維持する寝具改良装置を提供する。【解決手段】通気性の良い格子状の素材１と針金状の素材２とそれを結束する素材３から構成され、敷き布団４の上に寝具改良装置７を都合の良い空間になるよう曲げて乗せ、その上に掛け布団６を掛ける。こうした構造にすれば、中に人が入った時も直接掛け布団６が人全面に覆い被さることがなく、重みや巻き付きによる不快を感じることがない。怪我などで痛い部分があっても掛け布団６が乗ったり巻き付いたりすることもない。【選択図】図１
2019217223.tif 000002
【特許請求の範囲】
【請求項１】
掛け布団が人の全体に覆い被さらないよう掛け布団と敷き布団の間に空間を維持する通気性のよい物を置く。
【請求項２】
使用者それぞれの都合の良い形状に変形出来るようにする。
【発明の詳細な説明】
【技術分野】
【０００１】  本発明は、寝具を改良する装置に関する。
【背景技術】
【０００２】  掛け布団は、一般に寝た人の上に掛けて使用される。
図２に、従来の掛け布団を掛けて寝る様子を示す。
以上の寝具は次のようにして使われる。
敷き布団４の上に人５が寝てその上に掛け布団６を掛ける。
【発明の開示】
【発明が解決しようとする課題】
【０００３】  以上のような従来の布団を掛けた状態には、次のような解決すべき課題があった。
１．掛け布団の重みや巻き付きにより不快を感じる。
２．掛け布団や電気掛け毛布の直接伝わる熱によりアトピーやあせもなどの疾患を持つ      人が痒み等を生じ寝苦しい。
３．怪我等で痛みを持つ箇所が有る場合に重みや巻き付きによる苦痛を感じる。
【課題を解決するための手段】
【０００４】  本発明は以上の点を解決するために、次のような構成を採用する。
〈構成１〉
掛け布団の全てが人に掛からないよう掛け布団と敷き布団の間に空間を維持する通気性  のよい装置を置く。【０００５】〈構成２〉
使用者それぞれの都合の良い形になれるよう形状を変形出来るようにする。
【発明の効果】
【０００７】  本発明の寝具改良装置には次のような効果がある。
〈具体例の効果〉
１．人と掛け布団の間に空間を作り重みや巻き付きによる不快感の解消。
２．アトピーやあせもなどの疾患を持つ人も電気掛け毛布に触れず使用できる。
３．怪我などで痛い部分が有っても直接布団が乗る事や巻き付く事が解消できる。
【発明を実施するための最良の形態】
【０００８】  以下、本発明を図の具体例を用いて詳細に説明する。
【実施例１】
【０００９】  以下の説明で、実施例１は構成１に対応し、実施例２は構成２に対応する。
図１に、本発明の寝具改良装置の具体例図と使用例を示す。
図の寝具改良装置は、通気性の良い格子状の素材１と針金状の素材２とそれを結束する素材３から構成される。
格子状の素材１に針金状の素材２を結束する素材３で結束している。【００１０】  以上の寝具改良装置は次のようにして使用する。
敷き布団４の上に寝具改良装置７を都合の良い空間になるよう曲げて乗せ、その上に掛  け布団６を掛ける。
こうした構造にすれば、中に人が入った時も直接掛け布団が人全面に覆い被さることが  なく、重みや巻き付きによる不快を感じることがない。怪我などで痛い部分があっても  掛け布団が乗ったり巻き付いたりすることもない。
なお、寝具改良装置７は掛け布団６のサイズより少し小さく作ることで掛け布団６と  敷き布団４の接触スペースをもうけることで布団の中の空間と外の空間は遮断される。
【実施例２】
【００１１】  図３には、敷き布団４と掛け布団６の間にアーチ状になるように曲げた寝具改良装置７  に電気掛け毛布８を掛けたものを図示した。
図３に示したように、使用者の都合の良い形に曲げた形状で空間を調節している。
【図面の簡単な説明】
【００１２】
【図１】  この発明の寝具改良装置の構成図と使用例を示す。
【図２】  従来の寝具の使用例を示す。
【図３】  この発明の寝具改良装置の具体例使用例図を示す。
【符号の説明】
【００１３】１  格子状の素材
２  針金状の素材
３  結束する素材
４  敷き布団
５  人
６  掛け布団
７  寝具改良装置
８  電気掛け毛布
【図１】
2019217223.tif 000003
【図２】
2019217223.tif 000004
【図３】
2019217223.tif 000005
(57)【要約】      （修正有）【課題】徘徊が危惧される高齢者等の使用者が自己の意思で装着を起動させることもなく、当該使用者が携行したときのみに限定的に作動する使用時の事象によって起動させる杖などの歩行用補助具を提供する。【解決手段】歩行者が携行する補助具に使用時に受ける把持圧、把持によって生じる通電、揺動、突圧などの事象を感知するセンサー４，５，６，７，８を備え、事象を感知したときのみ関係者に通知するための通信機能、ビーコン、ＧＰＳなどの位置検定機能が起動する。【選択図】図１
2019217219.tif 000002
【特許請求の範囲】
【請求項１】
主として歩行者が携行する補助具であって、使用時に受ける把持圧、把持によって生じる通電、揺動、突圧などを起因とする事象を感知する感知装置を備え、前記感知装置が前記事象を感知したときに、前記補助具が備える、主として通信装置を起動させる起動装置を備えることを特徴とする歩行者補助具。
【請求項２】
請求項１記載の補助具であって、歩行者が前記補助具が備える把持部を把持したことによって受ける圧力を感知する被圧センサーを備え、前記被圧センサーが圧力を感知したときに前記補助具が備える各動装置が起動することを特徴とする歩行者補助具。
【請求項３】
請求項１記載の補助具であって、歩行者が前記補助具が備える把持部を把持したことによって通電する構成を備え、前記構成によって通電し、前記補助具が備える各種装置が起動することを特徴とする歩行者補助具。
【請求項４】
請求項１記載の補助具であって、歩行者が歩行者時に携行することによって、前記補助具が揺動する時に揺動を感知する構成を備えることを特徴とする歩行者補助具。
【請求項５】
請求項１記載の補助具であって、歩行者が歩行時に携行し、前記補助具の接地部に突圧を感知する構成を備え、突圧を感知したときに前記各種装置が起動することを特徴とする歩行者補助具。
【発明の詳細な説明】
【技術分野】
【０００１】  本発明は歩行者が携行する補助具に関する。
【背景技術】
【０００２】  従来の技術は使用時に限定して起動させることについて人為的な所作を要し、人の意思を介在させることなく所定機能が作動する構成を備えていない。
本発明は主として徘徊が危惧される高齢者が使用する杖などの歩行用補助具に適用されるが、当該使用者が自己の意思で装着を起動させることもなく、また通常は（徘徊時を除いて）補助具が使用されることもない。
当該使用者が携行したときのみに限定的に作動する技術はなかった。
【発明の概要】
【発明が解決しようとする課題】
【０００３】  当該使用者の意思を介在させずに歩行者用補助具が作動する構成を備えるよう、使用者の物理的事象を利用する。
【課題を解決するための手段】
【０００４】  当該補助具が使用時に受ける把持圧、把持されているときのみ通電のＯＮ、ＯＦＦ、携行時の揺動、接地時に接地部が受ける突圧などの事象を感知し、感知したときに装置の必要機能が作動する構成を備える。
【実施例】
【０００５】  以下に本発明の実施例を添付図面にもとづいて説明する。
図１は断面図、１は把持部、２は本体、３は接地部、４、５は圧力センサー、６は通電センサー、７は突圧センサー。
以下に記載される実施例は任意に組み合わされて実施される。
主として杖に適用されるが、当該使用者が常用し携行する用品に実施されることが望ましい。
杖と同様に機能するものの他、当該使用者が外出時に常用する用品、衣類、帽子、履物などの装備品、道具などに実施可能である。
典型実施例として杖を例に説明する。【０００６】  把持部の天井面あるいは側面に把持によって生じる圧力を感知する装置を備える。
外周部の内面と相対する内周部の相対面に電極通電版接地したときにＯＮ、ＯＦＦとなるスイッチを備え、把持されたときの天上面あるいは側面への圧力を感知する構成とする。
圧力を感知し圧力センサーが作動し所定の機能が起動される。【０００７】把持部が把持されたときに通電する構成とする。
手袋などが着用されているときは作動しないがそれを除けば構成は簡略なものにできる。電流電圧は人体に感じない程度のレベル  Ａ以下が望ましい。
通電することによって所定の機能が起動する。【０００８】  接地部の接地面が接地時に受ける突圧を感知する構成とする。
接地部に圧力、振動など接地面が接地したときに生じる事象のいずれかを感知する構成とする。
圧力を感知するものとしては圧電センサ、振動を感知するものとしては加速度センサが適しているが任意である。【０００９】把持部、本体、接地部のいずれかに使用時の揺動を感知する揺動センサーを備える。
揺動を感知する構成は任意であるが、加速度センサー、振子、可動子などによって揺動を感知する。
振子や可動子の有意性の認められる動きを感知したときに所定の機能が起動され使用される。
使用されていない時は、家人によって所定の状態に設置され、使用者が手に持ったときに起きる事象を感知することもできる。例えば、杖などが垂直、水平、あるいは所定の角度で保持され、手に持つことによって所定角度が変化した時に（例として）振子が相当部の面に接することでスイッチのＯＮ、ＯＦＦとなるような構成も可能である。
一般的な発電装置や節電のための装置の利用は任意である。
例として、充電器具に設置し、充電器から外したときに所定機能を起動させることも可能である。
起動後は任意に設定された時間のみ作動するか、停止する操作によって終了するかは任意である。
充電器具から杖を取り外したときに通信を主とする機能が起動するとした例では、充電器具に備える任意の形状、構成の取付部から取り外す各種態様に適用させることが望ましい。
充電器具を備える物具の取付部と相対する形状の取付部を杖も備える。
人為的な力が加わった時に取り外すことができる形状構成であればよい。
充電器具と杖の取付部の形状、構成は任意とし、充電器具を備える物具に掛具を備え、掛具に杖を掛ける例や物具の底部を杖の設置の有無を判別させる構成とする例、挟持する形状など取付の方法、手段は任意である。
充電器具とは別に物具そのものによって構成することもできる。
いずれにしても、杖などが人為的に携行される可能性や事象があったときに関係者に通知するための通信機能、ビーコン、ＧＰＳなどの位置検定機能が起動する。
杖などが携行される際の揺動、突圧などの事象を利用する例によれば、携行時に限られることから通信、電池などの節約ができるが、取り外し時に起動させる例によれば起動装置が簡素なものとして構成できる。
携行時の事象を利用する例においては、当該事象を感知して所定の時間の間に限って所定機能が作動するとの設定が望ましい。
【発明の効果】
【００１０】本発明が利用される典型例は高齢者の徘徊時の保護である。
当該使用者は自己の意思で所定の機能を起動させる必要はない。
例えば杖が使用されるときに生じる事象で起動させることが望ましく、本発明によって可能になる。
本発明はＧＰＳなどによって位置情報を得て、使用者の関係者による保護を支援するシステムに適用されるが、使用時のみに所定機能を起動させることが、関係者の負担や、通信インフラ、バッテリーなどへの負担を軽減することができる。
【図面の簡単な説明】
【００１１】
【図１】本発明の断面図
【符号の説明】
【００１２】把持部
本体
接地部
圧力センサー
圧力センサー
通電センサー
突圧センサー
揺動センサー
【図１】
2019217219.tif 000003
(57)【要約】      （修正有）【課題】心身に無害で有用有益な成分や効能が内在する、煙草式の芳香療法を提供する。【解決手段】ハーブ・香木・樹皮・草木の花・鉱石・海洋資源など、心身に無害で有用有益な成分や効能が内在する天然素材を粉砕もしくは乾燥させて微塵＆粉末にし、水や付着内包させて、芳香療法の素材を製造する。【選択図】なし【特許請求の範囲】
【請求項１】
概観が各種煙草に類似する芳香により健康を促進する。
【発明の詳細な説明】
【技術分野】
【０００１】  本発明は煙草式の芳香療法に関する。
【背景技術】
【０００２】  ハーブ・香木・樹皮・草木の花・鉱石・海洋資源など、心身に無害で有用有益な成分や効能が内在する天然素材を粉砕もしくは乾燥させて微塵＆粉末にし、水や付着内包させて、芳香療法の素材を製造する。その芳香療法の素材を利用して、芳香療法を実現する。
【発明の概要】
【発明が解決しようとする課題】
【０００３】  心身に無害で有用有益な成分や効能が内在する、煙草式の芳香療法を提供する。
【課題を解決するための手段】
【０００４】  ハーブ・香木・樹皮・草木の花・鉱石・海洋資源など、心身に無害で有用有益な成分や効能が内在する天然素材を粉砕もしくは乾燥させて微塵＆粉末にし、水や付着内包させて、芳香療法の素材を製造する。
【発明の効果】
【０００５】  喫煙によって健康を増進する。
【発明を実施するための形態】
【０００７】  あたらしい健康療法として、病院やドラッグストア、コンビニエンスストアなど、さまざまな場所で提供する。
(57)【要約】      （修正有）【課題】軽バール作業が発生した場合、その場ですみやかに処理を行なう事が出来るハンマーを提供する。【解決手段】全体が金属性のハンマー１で、その持ち手の先端に軽作業用のバール２を設ける。【選択図】図１
2019217619.tif 000002
【特許請求の範囲】
【請求項１】
全体が金属性のハンマーが対象です。
ハンマーの柄の先端に軽作業用のバールを設けたものです。
【発明の詳細な説明】
【技術分野】
【０００１】  この発明は、主に建設工事現場において各種の労働者達が一般的によく使う道具、バールとハンマーを組み合わせることによって作業効率を高める事を目的としたバールハンマーに関するものである。
【背景技術】
【０００２】  従来、道具としてのバールとハンマーは別々の物です。
主にハンマーは腰ベルトに装着して持ち歩きますが、バールは必要な時に取りに行くというのが一般的です。
【先行技術文献】
【特許文献】
【０００３】
【特許文献１】
【発明の概要】
【発明が解決しようとする課題】
【０００４】  今までは次のような欠点があった。
（イ）一般的にバールは必要な時に取りに行く道具です。
そのため、置き放しになったり、他者が持って行って置いたはずの所から無くな      ったり、また探すのに時間がかかったりすることがよくあります。
（ロ）バール作業というのは、重量物の移動作業ばかりではありません。
ちょっとした軽量物の移動もよくあります。
このような軽作業の場合には大きなバールは必要ありません。
本発明は、このような欠点を無くすためになされたものである。
【課題を解決するための手段】
【０００５】  ハンマーの柄（１）の先端に軽作業用のバール（２）を設ける。
【発明の効果】
【０００６】  （イ）通常工事現場において、ハンマーという道具は腰ベルトに装着したまま持ち歩き    ます。
そのハンマーに、バール機能が設けられていれば、軽バール作業が発生した場合      その場ですみやかに処理を行なう事が出来ます。
【図面の簡単な説明】
【０００７】
【図１】  本発明の姿図である。
【図２】  本発明の構造図である。
【発明を実施するための形態】
【０００８】  以下、本発明を実施するための形態を説明する。
全体が金属性のハンマー（１）で、その持ち手の先端に軽作業用のバール（２）を設けたものである。
ただし、バールの取りつけ向きは縦向きと、横向きの２種類がある。
【符号の説明】
【０００９】１  全体が金属性のハンマー
２  軽作業用のバール
【図１】
2019217619.tif 000003
【図２】
2019217619.tif 000004
(57)【要約】【課題】  ダイスをセットしたダイスハンドルにより丸棒に曲がり無くネジ切り加工をする。【解決手段】ダイスハンドルにセットされたダイス前面部に丸棒をネジ穴に垂直に導くガイドプレートを取り付ける。ガイドプレートには丸棒を通す導入穴を備え、ダイスのネジ穴中心軸とガイドプレートの導入穴中心軸を合わせる。ガイドプレートはスペーサー等でダイス前面に離して取り付ける。ガイドプレートの導入穴から差し込まれた丸棒はダイスのネジ穴に垂直に導かれダイスハンドルを回す事で曲がり無くネジ切り加工が出来る。切りくずの排出の妨げにならず、切削油の添加も容易で、ネジ切り加工の状態の確認が出来、ダイスの交換も容易である。【選択図】    図１
2019217556.tif 000002
【特許請求の範囲】
【請求項１】
ダイスをセットしたダイスハンドルで丸棒に曲がり無くネジ切り加工を行える様にする為に、丸棒をダイス前面ネジ穴部に垂直に導く導入穴を備えたガイドプレートをスペーサー等で離して取り付け、ダイスネジ穴中心軸と導入穴プレート中心軸を合わせ、万力などで固定された丸棒をプレートの導入穴を通してダイスネジ穴に垂直に押し当てダイスハンドルを回転させる事で曲がりの無い効率的なネジ切り加工を行える様にし導入穴プレート付きダイスハンドルで切りくずの排出の妨げにならず、切削油の添加やネジ切り状態の確認が容易にした、スペーサー等による支持取り付けカ所を二カ所とすればダイスの交換も容易に出来る、丸棒の導入穴を備えた導入穴プレートをスペーサー等で離して取り付けた事を特徴とする導入穴プレート付きダイスハンドル。
【発明の詳細な説明】
【技術分野】
【０００１】
本発明はダイスがセットされたダイスハンドルを用いた丸棒の雄ネジ加工を曲がりなどの失敗が無く効率的なネジ切り加工が行える様にした導入穴プレート付きダイスハンドルに関する。
【背景技術】
【０００２】
丸棒に雄ネジを切るには旋盤を用いたネジ切りもあるが、簡便に切る方法として万力などで固定された丸棒にダイスをセットされたダイスハンドルを押し当て回転させてネジを切る法方がある。しかしながら、ダイス面に丸棒を押し当て垂直に保持する手段がなければネジが曲がって切れたりして使い物にならなくしてしまう、ネジを曲がらずに真っ直ぐに丸棒に食いつかせ加工するには経験と熟練を必要とし、特に長ネジを切る場合はある程度慣れがなければ難しい。本発明は丸棒のネジが曲がらない様に保持する手段として導入穴プレートを設けたダイスハンドルとすることで熟練を要せず誰でもが真っ直ぐなネジ切り加工を失敗無く効率的に出来る様にしようとするものである。
【先行技術文献】
【特許文献】
【０００３】
ダイス前面にパイプなどを設けた工具の改良はあるが特許文献は見当たらない。この発明もネジ切り加工の苦労の実経験から思い付いたものである。実際に作り使用してみて旨く行った、他にも苦労をしている者は多く居る筈である。
【発明の概要】
【０００４】
丸棒をダイス３前面からネジ穴４の中心に垂直に導けばよい訳であるが、ガイドパイプなど設けたのでは切り屑を排出出来なくなり、切削油を注せず、切削状態を確認出来なくなりダイス３交換も容易でなく適切ではない。
【０００５】
ダイス３前面部に丸棒の入る径の導入穴７を開けたプレート６をスペーサー５等を用いて離して取り付けダイス３のネジ穴４の中心軸とプレート６の導入穴７の中心軸とを一致させて取り付ければダイスネジ穴４に丸棒が垂直に導かれる。ダイスハンドル１を回すだけでネジが真っ直ぐに切れる。
【０００６】
ダイス３がセットされたダイスハンドル１前面部にダイス面から離して丸棒導入穴７付きプレート６を設ける事で切削油の添加が容易でネジの切れ具合を観察しながらネジ切りが出来る。丸棒をダイス３面に垂直に導入し保持されるので曲がらずにネジ切り加工が出来る。またプレート６を支持する支持部を二カ所位にすればダイス３の取り替えも容易に出来る。
【０００７】
ダイスハンドル１に導入穴プレート６を設けることで真っ直ぐにネジ切りは出来ても、切りくずの排出の妨げになってはならず、また切削油の添加するのに邪魔になってもならず、ネジの切れ具合の確認やダイス交換も容易に出来なければならないが、スペーサーで離して取り付ける事で出来る。
【発明が解決しようとする課題】
【０００８】
丸棒をダイスハンドル１にセットされたダイスのネジ穴に垂直に保持され導入させる必要が有り、ダイスハンドル１の回転によっても曲がらずにネジ切り加工が出来なければならない。
【０００９】
切りくずの排出の妨げになってはならず、ネジ切りの加工状態の観察が出来る必要が有り、また切削油の添加やダイス交換が容易に行える様に出来るものである必要が有る。
【課題を解決するための手段】
【００１０】
ダイスハンドル１にセットされたダイス３前部に丸棒を垂直に導き保持させる為に導入穴プレート６をスペーサー５等を用いて離して取り付け、ダイスネジ穴中心軸９とプレートの導入穴中心軸９とを合わせて取り付ける。
【００１１】
万力などで固定された丸棒をプレート６の導入穴７を通してダイスハンドル１を押し当てればダイスネジ穴４に垂直に導かれ保持される、ダイスハンドル１を回転させれば曲がりの無いネジ切りが出来る。
【００１２】
切り屑の排出の妨げにならず切削油の添加も容易であり、ネジの切れ具合も観察出来、ダイス３交換も容易に出来る。
【発明の効果】
【００１３】
簡単な仕組みではあるがダイス３とダイスハンドル１を用いた雄ネジ切り加工に於いて熟練を必要とせず失敗のないネジ切り加工が効率良く出来る。
【００１４】
切り屑排出の妨げがなく、ネジ切りの加工状態の観察が出来る、またダイス３交換も容易。
【発明を実施するための形態】
【実施例１】
【００１５】
本発明の導入穴プレート６付きダイスハンドル１にダイス３が止めネジ２によりセットされその前部にはスペーサ５等を用いて少し離して導入穴プレート６が平行に取り付けられている。ダイスネジ穴４中心軸９とプレート６の導入穴７中心軸９は一致させている。万力などで固定された丸棒にプレート６の導入穴７を通してダイスハンドル１を押し当てればダイスのネジ穴４に垂直に押し当てられダイスハンドル１を回転させる事で曲がりの無いネジ切りを行える。導入穴プレート６の厚みは丸棒のネジ溝に入り込まない様にネジのピッチよりも厚ければよい。
【００１６】
ダイス３前部に切り屑の排出を妨げるものは無く切削油の添加も容易でネジの切れ具合の確認をしながらネジ切りが出来る。スペーサ５等を用いた導入穴プレート６の支持部を二カ所にすれば導入穴プレート６を付けたままダイス３交換も出来る。
【００１７】
導入穴プレート６の取り付けはダイス３面から離せば垂直の精度は高まるが短いネジを加工出来なくなる。丸棒のサイズにもよるがダイス径３８ミリメーターで１０ミリメーター位から４０ミリメーター位が
適当であろう。
【産業上の利用可能性】
【００１８】
ダイスによるダイスハンドルを用いた丸棒への雄ネジ切り加工が熟練無くても失敗無く出来る。
【図面の簡単な説明】
【００１９】
【図１】本発明の導入穴プレート６付きダイスハンドル１の斜視図
【符号の説明】
【００２０】
１  ダイスハンドル
２  ダイスの止めネジ
３  ダイス
４  ダイスネジ穴
５  スペーサー
６  導入穴プレート
７  導入穴
８  プレート止めネジ
９  中心軸
【図１】
2019217556.tif 000003
(57)【要約】【課題】フィールド上にて自由に索敵行動が可能なシューティングゲーム等において、戦略性の高いゲームシステムを提供する。【解決手段】プレイヤキャラクタが索敵状態から、指向性を有する攻撃手段(主に銃器)を用いて遠方に存する敵キャラクタ、もしくは遠方に存する対戦者のキャラクタに対して攻撃を行う際には、必ず遮蔽物に隠れた状態を経なければならない制限を設けることで、遮蔽物に隠れながら戦うプレイスタイルをプレイヤが選択するのを促し、行動選択の機会を多く得られるようにした。【選択図】図１
2019217076.tif 000002
【特許請求の範囲】
【請求項１】
プレイヤキャラクタの動作を制御するゲームプログラムであって、
プレイヤキャラクタが索敵状態から、指向性を有する攻撃手段(主に銃器)を用いて
遠方に存する敵キャラクタ、もしくは遠方に存する対戦者のキャラクタに対して攻撃を行う際には、
必ず遮蔽物に隠れた状態を経なければならない事を特徴とするゲームプログラム。
【発明の詳細な説明】
【技術分野】
【０００１】
本発明は、フィールド上にて自由に索敵行動が可能なシューティングゲーム等における攻撃システムに関する。
【背景技術】
【０００２】
これまでにも、遮蔽物に隠れながら戦うことを特徴とするゲームはありました。
しかし実際には遮蔽物に隠れながら戦うプレイヤはあまり居ませんでした。
これは遮蔽物に隠れなくても、動き続けていれば敵の攻撃が当たる可能性は低くなる為で、
結果的に単純な撃ち合いとなることが多く、戦略性に乏しいのが欠点でした。
【発明の概要】
【発明が解決しようとする課題】
【０００３】
単純な撃ち合いを防ぐ為には、
遮蔽物に隠れながら戦うプレイスタイルをプレイヤに選択させる必要がありました。
遮蔽物に隠れることにより体力の回復や武器の選択、仲間との連携といった行動がし易くなり、
戦略の幅を広げる事ができる為です。
【課題を解決するための手段】
【０００４】
そこで本発明は、遮蔽物に隠れることを、攻撃手段の制限が解除される条件とすることで、
遮蔽物に隠れながら戦うプレイスタイルをプレイヤが選択するのを促し、
行動選択の機会を多く得られるようにした。
【発明の効果】
【０００５】
ゲームの展開が単調になることを防ぎ、ゲームの興趣を高めることができる。
【図面の簡単な説明】
【０００６】
【図１】攻撃処理のフローチャート(自動で攻撃可能な状態へ移行するケース)
【図２】攻撃処理のフローチャート(手動で攻撃可能な状態へ移行するケース)
【図３】プレイヤキャラクタが遮蔽物に隠れた状態の一例
【図４】プレイヤキャラクタが攻撃可能な状態へ移行した一例(遮蔽物から身を乗り出して銃を構えた状態)
【図５】プレイヤキャラクタが攻撃可能な状態へ移行した一例(遮蔽物から腕及び銃のみを出した状態)(一般にブラインドファイア(Blind Fire)と呼ばれる攻撃を行える状態)
【発明を実施するための形態】
【０００７】
(図1)は自動で攻撃可能な状態へ移行する場合の攻撃処理のフローチャートである。
ゲーム開始後、プレイヤキャラクタはフィールド上にて自由に索敵行動が可能となる(S101)
(索敵行動はプレイヤキャラクタが遮蔽物に隠れたまま行われることもあり得る)
索敵行動中にプレイヤから指向性を有する攻撃手段(主に銃器)を用いて遠方に存する敵キャラクタ、
もしくは対戦者のキャラクタに対して攻撃を行う命令が入力された場合(S102)
プレイヤキャラクタの状態の取得を行う(S103)
プレイヤキャラクタが(図3)に代表されるような遮蔽物に隠れた状態にあり、
尚且つ(図4)または(図5)に代表されるような攻撃可能な状態に移行できるスペースが周囲に有るかを判別する(S104)
(S104-Yes)である場合、攻撃可能な状態に移行し(S105)その後攻撃を行う(S106)
(S104-No)である場合、攻撃命令はキャンセルされ索敵行動が可能な状態が継続される(S101)
【０００８】
(図2)は手動で攻撃可能な状態へ移行する場合の攻撃処理のフローチャートである。
ゲーム開始後、プレイヤキャラクタはフィールド上にて自由に索敵行動が可能となる(S201)
(索敵行動はプレイヤキャラクタが遮蔽物に隠れたまま行われることもあり得る)
索敵行動中にプレイヤから攻撃可能な状態に移行するよう命令が入力された場合(S202)
プレイヤキャラクタの状態の取得を行う(S203)
プレイヤキャラクタが(図3)に代表されるような遮蔽物に隠れた状態にあり、
尚且つ(図4)または(図5)に代表されるような攻撃可能な状態に移行できるスペースが周囲に有るかを判別する(S204)
(S204-Yes)である場合、攻撃可能な状態に移行する(S205)
(S204-No)である場合、命令はキャンセルされ索敵行動が可能な状態が継続される(S201)
攻撃可能な状態の時にプレイヤから指向性を有する攻撃手段(主に銃器)を用いて遠方に存する敵キャラクタ、
もしくは対戦者のキャラクタに対して攻撃を行う命令が入力された場合(S206)
攻撃を行う(S207)
攻撃終了後、プレイヤからの攻撃が可能な状態に移行する命令が継続されているかを判別する(S208)
(S208-Yes)である場合は攻撃可能な状態を維持する(S205)
(S208-No)である場合は索敵行動が可能な状態へ戻る(S201)
【符号の説明】
【０００９】
A…遮蔽物
G…武器(銃)
P…プレイヤキャラクタ
【図１】
2019217076.tif 000003
【図２】
2019217076.tif 000004
【図３】
2019217076.tif 000005
【図４】
2019217076.tif 000006
【図５】
2019217076.tif 000007
(57)【要約】【課題】簡易な方法で、使用者がノズルの液滴部を認識する点眼容器を提供する。【解決手段】本発明の点眼容器は、容器とキャップとを備える点眼容器であって、前記容器は、容器本体とこの容器本体に挿入されたノズル部とを備え、容器本体は透明あるいは半透明あるいは不透明な材料で形成され、かつノズル部は着色された材料で形成され、または容器本体がノズル部の色彩の補色である材料で形成されており、前記キャップは、不透明な材料で形成されている。【選択図】図１
2019217056.tif 000002
【特許請求の範囲】
【請求項１】
容器とキャップとを備える点眼容器であって、
前記容器は、容器本体とこの容器本体に挿入されたノズル部とを備え、容器本体は透明あるいは半透明あるいは不透明な材料で形成され、かつノズル部は着色された材料で形成され、または容器本体がノズル部の色彩の補色である材料で形成されており、前記キャップは、不透明な材料で形成されている、点眼容器。
【請求項２】
前記点眼容器が、ノズル部の液滴部の視認性を向上させる、請求項１に記載の点眼容器。
【請求項３】
前記着色が、オレンジ色、紫色、または青色である、請求項１または２に記載の点眼容器。
【発明の詳細な説明】
【技術分野】
【０００１】
本発明は、点眼容器に関するものである。
【背景技術】
【０００２】
キャップの開閉にかかわりなく、使用者が点眼剤容器に充填された薬剤の種類を認識することを容易にするために、ノズルを着色材料で形成し、キャップを透明ないし半透明材料で形成したものが開示されている（例えば、特許文献１参照）。
【０００３】
しかし、この文献に記載されているように、薬剤の種類を認識するためには、点眼剤の種類ごとにノズルの色を変える必要がある。ノズルに使用できる色彩に限定があるため、全ての薬剤に対して別の着色をすることは現実的に問題がある。
【０００４】
一方、使用者がノズルの液滴部を認識しやすくするために、ノズル部材の先端部を他の部分と異なる色に着色したものが考案されている（例えば、特許文献２参照）。しかし、ノズル部材は小さく、ノズル部材の先端部を他の部分と異なる色に着色することは技術的に困難である。
【先行技術文献】
【特許文献】
【０００５】
【特許文献１】特許第４５８５７３８号公報
【特許文献２】実開昭６０−１６０８３６
【発明の概要】
【発明が解決しようとする課題】
【０００６】
従って、簡易な方法で、使用者がノズルの液滴部を認識する点眼容器を提供する必要がある。
【課題を解決するための手段】
【０００７】
本発明は、容器とキャップとを備える点眼容器であって、前記容器は、容器本体とこの容器本体に挿入されたノズル部とを備え、容器本体は透明あるいは半透明あるいは不透明な材料で形成され、かつノズル部は着色された材料で形成され、または容器本体がノズル部の色彩の補色である材料で形成されており、前記キャップは、不透明な材料で形成されている、点眼容器である。
【０００８】
本発明の点眼容器は、キャップ部は、不透明な材料で形成されている。これは、ノズル部の色彩で、薬剤の種類を判断する必要がないためである。一方、容器は、容器本体とこの容器本体に挿入されたノズル部とを備え、容器本体は透明あるいは半透明あるいは不透明な材料で形成され、かつノズル部は着色された材料で形成され、または容器本体がノズル部の色彩の補色である材料で形成されている。これにより、使用者は、ノズル部の液滴部を容易に視認することができる。
【０００９】
前記着色が、オレンジ色、紫色、または青色であると好ましい。これにより、使用者は、ノズル部の液滴部を容易に視認することができる。
【発明の効果】
【００１０】
本発明の点眼容器は、不透明な材料で形成されているキャップ部と、容器から構成され、容器は、容器本体とこの容器本体に挿入されたノズル部とを備え、容器本体は透明あるいは半透明あるいは不透明な材料で形成され、かつノズル部は着色された材料で形成され、または容器本体がノズル部の色彩の補色である材料で形成されている。この結果、使用者は、ノズル部の液滴部を容易に視認することができる。
【図面の簡単な説明】
【００１１】
【図１】図１は、本発明の点眼容器の概略構成図である。
【図２】図２は、本発明の点眼容器における容器の概略構成図である。
【図３】図３は、本発明の点眼容器におけるノズル部の概略構成図である。
【図４】図４は、本発明の点眼容器における容器の別の形状の概略構成図である。
【発明を実施するための形態】
【００１２】
以下に、本発明を図面に基づいて説明するが、本発明は、下記例によって限定を受けるものではない。図１は、本発明の点眼容器の概略構成図である。図１に示すように、本発明の点眼容器１は、キャップ部２と容器３とを備えている。図２は、本発明の点眼容器における容器の概略構成図である。容器３は、容器本体４とノズル部５とから構成されている。
【００１３】
［キャップ部］
キャップ部２は、不透明な材料で形成されている。本発明では、ノズル部５の色を、容器を閉めている状態で視認する必要がないからである。キャップ部２の材料は、公知の点眼容器のキャップ部に用いられる材料で形成することができる。
【００１４】
［容器］
容器３は、容器本体４とノズル部５とで構成されている。ノズル部５は、図３に示すように、容器本体に嵌め込む部分と、液滴部とを含んでいる。図２に示すように、ノズル部５は、容器本体４に挿入されている。ノズル部５は、着色された、不透明の材料で形成されている。ノズル部５に用いられる材料は、通常ノズル部に用いられる材料であればよい。
【００１５】
ノズル部５の色は、点眼用プラスチック容器に使用が許可されている色であれば、公知の色が使用される。好ましくは、オレンジ色、紫色、または青色である。なお、それぞれの色は、濃い色であっても、薄い色であってもよく、例えば、薄オレンジ色、薄紫色または水色のような色でもよい。
【００１６】
容器本体４は、一般的に点眼容器に用いられるプラスチック材料を使用することができる。容器本体４は、透明、半透明、または不透明な材料で形成されている、またはノズル部５の色彩の補色である材料で形成されている。容器本体４の形状としては、特に制限はなく、公知の形状であればよく、例えば図２に示すように容器本体４の横方向の横断面が略だ円形状の扁平な形状であっても、図４に示すような横方向の横断面が円形であってもよい。
【００１７】
本発明の点眼容器は、公知の点眼容器の製法によって製造される。
【００１８】
［点眼容器の使用］
本発明の点眼容器１は、キャップ部２をはずして使用する。キャップ部２を取り外すと、着色されていない、またはノズル部５と補色の関係にある容器本体４に対して、ノズル部５が明確に区別できる。このため、ノズル部５の液滴部の視認性が向上するため、使用者はノズル部５の液滴部を容易に視認できるので、確実に点眼することができる。
【産業上の利用可能性】
【００１９】
使用者が確実に点眼することができる点眼容器を提供することができる。
【符号の説明】
【００２０】
１    点眼容器
２    キャップ部
３    容器
４    容器本体
５    ノズル部
【図１】
2019217056.tif 000003
【図２】
2019217056.tif 000004
【図３】
2019217056.tif 000005
【図４】
2019217056.tif 000006
(57)【要約】      （修正有）【課題】手鉋における鉋刃の切り込み深さ調節と水平調節を正確かつ容易に行える手段を提供する。【解決手段】鉋台１の左右かつ鉋刃２の厚み中心線延長線上に、マイクロメーターヘッド４，５を取り付けるための支柱３を設け、鉋刃を左右のマイクロメーターヘッドに当てて固定する。左右マイクロメーターヘッドの目盛りで鉋刃の水平と切り込み深さを正確に調節する。鉋刃の鉋台への固定は、鉋刃側面に傾斜を持った面６を作り、この面に左右から尖先のホーローセット７，８で挟み込んで締め付け、左右のボルトは、右ネジボルトと左ネジボルトにすることによって、鉋刃をマイクロメーターヘッドに押し付ける方向と鉋台に押し付ける方向の固定力によって正確な位置に強固に固定できる。【選択図】図１
2019217751.tif 000002
【特許請求の範囲】
【請求項１】
鉋台の左右に２本の支柱を取り付け、鉋刃厚さ中心線延長線上に鉋刃の水平調節と切り込み深さ調節を行うためのマイクロメーターヘッドを取り付ける。
【請求項２】
鉋刃の左右側面に傾斜面を作り、鉋台左右から尖り先のホーローセットで鉋刃傾斜面を挟んでねじ込む事で、鉋刃をマイクロメーターヘッドに押し付ける方向の固定力と鉋台に押し付ける方向の固定力を得て、鉋刃を鉋台に正確に固定する。
【発明の詳細な説明】
【技術分野】
【０００１】本発明は、伝統的な鉋の鉋刃と鉋台の固定は、鉋台と抑え棒の隙間に鉋刃と裏金を重ねて差し込んで、抑え金を木槌で叩いて固定し、鉋刃の水平と切り込み深さ調節を、感に頼って木槌で鉋刃を叩いて出し、鉋台を叩いて、その反動で鉋刃を引っ込めるという方法を改善し、思い通りの寸法で調節できるようにする。
【背景技術】
【０００２】鉋刃を鉋台へ固定する方法であるが、裏金と抑え棒によって鉋刃を挟み込む方法では固定が不完全で、また、鉋刃と鉋台を木槌で叩いての水平調節と切り込み深さ調節では正確さを望めず、思い通りの調節は困難である。
【発明の開示】
【発明が解決しようとする課題】
【０００３】鉋刃の水平調節と切り込み深さ調節を思い通りの寸法に行い、鉋刃を鉋台に強固に固定する。
【課題を解決するための手段】
【０００４】鉋台の左右に支柱を付け、鉋刃の厚さ中心延長線上にマイクロメーターヘッドを取り付け、鉋刃長さ方向端面を左右のマイクロメーターヘッドに当てて位置決めして固定する。左右マイクロメーターヘッドの目盛りで鉋刃の水平と切り込み深さを正確に調節する。鉋刃の鉋台への固定は鉋刃幅方向端面に傾斜面を作り、傾斜面を左右から尖先のホーローセットで挟み込んで締め付け、鉋刃の左を右ネジホーローセットで、また  鉋刃の右を左ネジホーローセットにすることによって、鉋刃をマイクロメーターヘッドに押し付ける方向の固定力と鉋台に押し付ける方向の固定力を得て、正確な位置に強固に固定する事ができる。
【発明の効果】
【０００５】この発明は、マイクロメーターの目盛りで正確に鉋刃の水平と切り込み深さ調節することが可能になり、感に頼って木槌で鉋刃や鉋台を叩いて調節する困難さを改善出来る。
【発明を実施するための最良の形態】
【０００６】鉋刃の切り込み深さ調節は鉋刃の鉋台への取り付け角度が３５度の場合、マイクロメーター目盛りが０、０１ｍｍとすると、１目盛りで、削り材への切り込みは、ｓｉｎ３５°で計算すれば、０、００５７ｍｍとなり、４分の１目盛りで調節すれば０、００１４ｍｍとなり、１ミクロン程度の切り込み深さ調節が可能になる。
【図面の簡単な説明】
【０００７】
【図１】鉋台の左右に取り付けた支柱にマイクロメータヘッドを鉋刃の厚さ中心延長線上に取り付け、鉋刃をマイクロメーターヘッドで位置決めして鉋台に取り付けた側面図である。
【図２】鉋刃の幅方向端面に傾斜面を設け、鉋台の左右に設けた雌ネジと雄ネジである尖先のホーローセットで左右から鉋刃の傾斜面を挟み込んで締め付け、鉋台に鉋刃を固定した、鉋刃厚さ中心線方向の図である。
【符号の説明】
【０００８】１  鉋台
２  鉋刃
３  マイクロメーターヘッド取り付け用支柱
４  右マイクロメーターヘッド
５  左マイクロメーターヘッド
６  鉋刃に設けた傾斜面
７  尖先ホーローセット左ネジ
８  尖先ホーローセット右ネジ
【図１】
2019217751.tif 000003
【図２】
2019217751.tif 000004
(57)【要約】      （修正有）【課題】地熱発電をする際の、蒸気と共に噴出する硫黄や不純物、錆、コケ、カビ、地熱発電をする部屋の建屋内部、及び蒸気を受ける滑車受け箱共に不純物を付着させない様にする方法。【解決手段】耐熱性シリコンゴムをコーティグして使う事で汚れの付着を防止でき、必要経費の削減になる。色々な物に応用が出来るので利益の向上が可能である、物価も下がる。従って消費者の負担が減る、家計が楽になる国民生活が好転する。2019217754.tif 000002【選択図】なし【特許請求の範囲】
【請求項１】
耐熱性シリコンゴムをコーティングする、地熱発電用配管建屋の内壁蒸気を受ける升、水道管、ガス管、自動車バイクのマフラーエンジンと接続部分、換気扇、ガステーブルの上面、フードコート、雨樋、北国の屋根、火山灰が屋根に堆積、火山灰による雨樋のつまり、船舶底側面及びスクリュウ、飛行機エンジン及びエンジン側面、流し台、流し台の排水口、ガステーブルの上面部、風呂釜、家の壁の汚れが無くなる。
【発明の詳細な説明】
【技術分野】
【０１】蒸気と共に噴出する硫黄や不純物、錆、コケ、カビ、地熱発電をする部屋の建屋内部、及び蒸気を受ける滑車受け箱共に全体的に耐熱性シリコンゴムで覆い不純物を付着させない様にする事である。
【背景技術】
【０２】水道管、ガス管の内側とか製品の上面、側面に耐熱性シリコンゴムをコーティングする事により製品の腐食、摩耗、劣化防止になる。【０３】此の方法は子供のころに姉が自転車のパンク修理を押し付けられていたずらでチュウブにペンキを塗り乾燥したらペンキが付着して取れないだろうと思ってペンキを塗ったのだけど乾いたら反対に剥がれてしまいました、子供の時不思議でした、大人になりゴムは汚れが付かないんだと思ってました、最近になり原発事故が問題になり地熱発電が硫黄付着で発電が上手く行ってないのは硫黄付着が原因だと考えて間違いがないか国立高専の先生に問いました、先生はシリコンゴムの特性は密度がゼロだからその方法が適切でしょうと答えられました。
【発明が解決しようとする課題】
製品に色々な不純物が付着するから、汚れが付着するのをを減らしていこうとする手段である。
【課題を解決するための手段】
耐熱性シリコンゴムをコーティグして使う事で必要経費の削減になる、利益の向上が可能である、物価も下がる。従って消費者の負担が減る、家計が楽になる国民生活が好転する政府は税金や物価を上げる事しかしない、電気代も半額にして国民の生活が良く成る様にと思い、国民の７割が暮らし易く成ればと思い出願を決意する。
発明が解決しようとしている課題
パイプに耐熱性シリコンゴムを内側や側面及び金属の粗い研磨してない表面にコーティングする事により剥がれにくくする、地熱発電用建屋内及び地熱蒸気受け升や温泉水を汲み上げる過程で硫黄酸化物や不純物が管の内面に付着で管の内側が詰まるのを防止。又水道管などは両面にガス管の汚れ、酸化による劣化防止にもなる、自動車バイクのマフラーをエンジンに接続する部分に耐熱シリコンゴムをコーティングすると管の劣化するのを予防する。雨樋なども粗い物の表面にコ−テングする事で詰まり劣化を防止する、洗濯層の両面に耐熱性シリコンゴムをコーティングして汚れ異臭、シミを予防する。ガステーブルの研磨してない上面に耐熱性シリコンゴムをコーティングすることで焦げ付き汚れ防止。耐熱性シリコンゴムにより粗い素地の換気扇及びフードにコ−テングして油汚れ異物付着防止。風呂釜の粗い内面に耐熱性シリコンゴムのコーティングする事で皮脂汚れ防止。北国の屋根材に耐熱性シリコンゴムをコーティングして積もる雪の積雪防止。耐熱性シリコンゴムのコーティングで屋根の火山灰の堆積、雨樋の詰まり防止。耐熱性シリコンゴムを粗い材質の船底にコーティングする事により剥がれにくくする事により船舶の海水による劣化や貝殻など付着による劣化スクリュウの異物付着による劣化防止。耐熱性シリコンゴムのコーティングで飛行機のエンジン外週にコウテングし氷結によるエンジンの停止防止。粗い便器の表面に耐熱性シリコンゴムをコーティングして便器の汚れ黄ばみ防止。研磨してない流し台に耐熱性シリコンゴムをコーティングすることで流し台、シンクの油汚れ不純物付着防止、粗い排水管の表面に不純物付着による詰り防止。ガステーブルの表面に耐熱性シリコンゴムをコーティングして表面の焦げ付き汚れ防止。風呂の粗い表面に耐熱性シリコンゴムをコーテングする事で湯垢などを防止する  流し台排水口など耐熱性シリコンゴムをコウテングする  ガステーブル耐熱性シリコンゴムをコウテング、家の壁面にコーティングして雨水の染み込み汚れ防止  家の壁の表面にコ−テングする事で汚れや剥がれにくくする。
【図面の簡単な説明】
【図１】パイプの立面図を表す図面である。
【図２】パイプの側面図を表す図面である。
【図１】
2019217754.tif 000003
【図２】
2019217754.tif 000004
(57)【要約】      （修正有）【課題】筆記具の正しい持ち方が習得できる練習具を提供する。【解決手段】食事をしながら正しい筆記具の持ち方を練習できるように、スプーンの柄を次のように構成する。スプーンを持った時に、正しい筆記具の持ち方になるような位置に、手の平の中に空間を作るための突起１と、中指を正しい位置に導くための突起２を設け、中指の先の部分が入るための空間３を設ける。また、突起１、突起２、及び、空間３は、正しくない持ち方をした時には邪魔な位置となるように配置する。【選択図】図１
2019217126.tif 000002
【特許請求の範囲】
【請求項１】
図５に記してあるような正しい筆記具の持ち方をした時に邪魔にならず、正しくない筆記具の持ち方をした時に邪魔になる位置に突起を数か所付け、空間（３）を有した形状の柄のスプーン、またはフォーク。
【請求項２】
図５に記してあるような正しい筆記具の持ち方をした時に邪魔にならず、正しくない筆記具の持ち方をした時に邪魔になる位置に突起を数か所付け、空間（３）を有した筆記具、筆記補助具またはタッチペン。
【請求項３】
請求項１と同形状の突起を付け、突起（１）を付けた柄の部分に膨らみを付けたスプーン、またはフォーク。
【発明の詳細な説明】
【技術分野】
【０００１】
本発明は、筆記具の正しい持ち方を習得するためのスプーンと筆記具、筆記補助具に関する。
【背景技術】
【０００２】
筆記具の正しい持ち方ができていない子が多く、滑らかに指先が動かせず、上手に字が書けない、筆記速度が遅い、姿勢が悪くなるなどの問題が発生している。
【０００３】
このため、筆記具を正しく持たせるためのいろいろな補助具、矯正具が考案、販売されている。
【０００４】
タブレットを使用した学習、授業が増え、ノートに書くのではなく、画面にタッチペンで触れるだけで字が書けるようになり、筆記具を正しく持てない子供が増え、筆圧が弱い子も多くなってきている。
【０００５】
筆記具を強制的に正しく持たせる補助具もあり、これを使用して筆記しようとすると、筆記具を持った感触に違和感があり、結局字がうまく書けずにやめてしまうこともある。
【０００６】
また、大人になると長年の正しくない持ち方の癖がなかなか治らず、そのままの人もいる。
【先行技術文献】
【特許文献】
【０００７】
【特許文献１】特開２００４−１８１６８５号公報
【特許文献１】特開２０００−２０３１８８号公報
【発明の概要】
【発明が解決しようとする課題】
【０００８】
筆記具の正しい持ち方を習得し、字がきれいに書けるようになるための練習具を提供することにある。
【課題を解決するための手段】
【０００９】
本発明のスプーンを使用することにより、幼児から大人まで、食事をしながら正しい筆記具の持ち方の練習をすることができる。
【００１０】
図1のスプーンと同形状の突起をつけた筆記具、筆記補助具を使用し、正しい持ち方で筆記できるようにする。
【発明の効果】
【００１１】
本発明の筆記練習具を使用することにより、違和感が少なく、正しい筆記具の持ち方が習得できる。
【図面の簡単な説明】
【００１２】
【図１】図１は本発明のスプーンの斜視図である。
【図２】図２は本発明のスプーンの側面図である。
【図３】図３は突起（１）を小さくした本発明のスプーンの側面図である。
【図４】図４は図1のスプーンの柄に膨らみを付けたスプーンの斜視図である。
【図５】図５は本発明のスプーンを持っている図である。
【図６】図６は本発明のスプーンを持っている時の手の平の中の図である。
【図７】図７は本発明のスプーンと同形状の突起を付けた筆記補助具の図である。
【図８】図８は親指の位置が悪い筆記具の持ち方の図である。
【図９】図９は突起を3か所付けた筆記具補助具の図である。
【発明を実施するための形態】
【００１３】
三角形のスプーンの柄に、手の平の中に空間を作る目的のための突起（１）、中指を正しい位置に導く目的のための突起（２）を付ける。この２つの突起の間には中指の先の部分が入る空間（３）がある。
【００１４】
空間（３）に中指の先を入れると、自然に親指と人差し指でスプーンの柄をつまむような持ち方になり、この持ち方で持つと図５のように、３本の指で自然に正しい筆記具の持ちができる。
【００１５】
本発明のスプーンを使うことにより、幼児期より正しい筆記具の持ち方の練習ができ、指先が器用になる効果が考えられる。
【００１６】
図７は三角形の鉛筆に、本発明のスプーンと同形状の突起を付けた脱着式の筆記補助具を取り付けた状態である。この形状だと従来の補助具より違和感が少なく、自然に正しい筆記具の持ち方ができる。
【００１７】
図７の筆記具、それに取り付ける補助具は三角形になっているが、丸形状や、多角形にするのも良い。
【００１８】
突起（１）がつくる手の平の中の空間によって、親指、人差し指、中指の３本の指が滑らかに動かせ、筆圧の調整もでき、字がきれいに書けるようになる。
【００１９】
図９のように突起（３）を筆記具の上部に付けることにより、図８のような親指の位置が悪い持ち方を防止することができる。
【００２０】
タッチペンに図７、図９と同形状の突起を付けることにより、タブレットによる学習時でも正しい筆記具の持ち方の練習ができる。
【００２１】
図２では突起（１）と突起（２）の高さが同じになっているが、デザイン、使い勝手をよくするため、空間（３）はそのままに、図３のように突起（２）の高さは高く、突起（１）の高さを低くする、また、図１では突起（２）は正面から見て三角形、突起（１）は側面から見て半円形になっているが、突起を他の形状、動物、植物、乗り物などの形状にするのも良い。
【００２２】
手の平の中に空間をつくり、より自然に正しい筆記具の持ち方ができるよう、図４のように突起（１）が付いている柄の部分を膨らませた形状にするのも良い。
【００２３】
また、図１、２及び３は全てスプーンの図面であるが、フォークを同形状の柄にするのも良い。
【００２４】
筆記具の正しい持ち方の練習には、スプーンの柄の形状を三角形にするのが適しているが、丸や楕円、三角形以外の多角形にするのも良い。
【００２５】
さらに、箸２本のうち１本を正しい筆記具の持ち方で持ち、そこにもう１本の箸を親指と人差し指の間の空間に入れ、薬指で支えれば正しい箸の持ち方となる。
【符号の説明】
【００２６】
１    突起  １
２    突起  ２
３    空間
４    突起  ３
５    膨らみ
６    筆記補助具
【図１】
2019217126.tif 000003
【図２】
2019217126.tif 000004
【図３】
2019217126.tif 000005
【図４】
2019217126.tif 000006
【図５】
2019217126.tif 000007
【図６】
2019217126.tif 000008
【図７】
2019217126.tif 000009
【図８】
2019217126.tif 000010
【図９】
2019217126.tif 000011